(57)【要約】【課題】吸込口に取付けたフィルタに塵や虫が付着した場合、その塵や虫の除去を手間をかけず容易に行うことができるオープンショーケースを提供する。【解決手段】断面形状がコの字型に形成され、内部に商品陳列室３を有し、前面に開口４を有するショーケース本体２と、ショーケース本体２に設けられ、内部に空気が流れるダクト５と、ダクト５の上部に設けられ、ダクト５内を流れた空気が吹出す吹出口８と、ダクト５の下部に設けられ、吹出口８から吹出した空気が吸込まれる吸込口９と、吸込口９に取付けられたフィルタ１２と、商品陳列室３内の下部に設けられ、前後方向にスライド可能な商品陳列体１１と、商品陳列体１１に設けられ、この商品陳列体１１のスライド動作に伴ってフィルタ１２の上面に摺接するブラシ１８と、を有する。【選択図】図２
2018114208.tif 000002
【特許請求の範囲】
【請求項１】
断面形状がコの字型に形成され、内部に商品陳列室を有し、前面に開口を有するショーケース本体と、
前記ショーケース本体に設けられ、内部に空気が流れるダクトと、
前記ダクトの上部に設けられ、前記ダクト内を流れた空気が吹出す吹出口と、
前記ダクトの下部に設けられ、前記吹出口から吹出した空気が吸込まれる吸込口と、
前記吸込口に取付けられたフィルタと、
前記商品陳列室内の下部に設けられ、前後方向にスライド可能な商品陳列体と、
前記商品陳列体に設けられ、この商品陳列体のスライド動作に伴って前記フィルタの上面に摺接するブラシと、
を有することを特徴とするオープンショーケース。
【請求項２】
前記フィルタの手前側に隣接する位置にフレームが設けられ、このフレームには上面側から前面側に向けて下向きに湾曲するＲ面形状部が設けられていることを特徴とする請求項１記載のオープンショーケース。
【請求項３】
前記商品陳列体に、この商品陳列体を後方位置にスライドさせた場合に前記吸込口の上方に位置する通風用開口が設けられ、
前記通風用開口に複数の通風用孔を有するプレートが着脱可能に取付けられ、
前記プレートの下面に前記ブラシが取付けられていることを特徴とする請求項１又は２記載のオープンショーケース。
【発明の詳細な説明】
【技術分野】
【０００１】
本発明は、前面に開口が設けられ、その開口を上方から下方へ流れるエアカーテンで覆うようにしたオープンショーケースに関する。
【背景技術】
【０００２】
従来、スーパーマーケットやコンビニエンスストア等の店舗では、前面に開口を有するオープンショーケースが用いられている。このようなオープンショーケースの一例として、上方から下方へ流れるエアカーテンで開口を覆うようにしたものが知られている。
【０００３】
開口をエアカーテンで覆うようにしたオープンショーケースは、ショーケース本体に上下方向に延出するダクトが形成され、ダクトの上部には吹出口が形成され、ダクトの下部には吸込口が形成されている。そして、ダクト内を流れる空気が吹出口から下向きに吹出すことによりエアカーテンが形成され、エアカーテンを形成した空気は吸込口から吸込まれる。
【０００４】
このように、ダクトの吹出口から吹出した空気をダクトの吸込口から吸込んで循環させることにより、吹出口から吹出した空気がオープンショーケースの周囲に居る客に当たって不快感を与えるということを防止することができる。さらに、エアカーテンを冷やした空気（冷気）で形成する場合には、その冷気を循環させることにより空気を冷やすために必要なエネルギー使用量を低減することができる。
【０００５】
ところで、エアカーテンを形成する空気や冷気を循環させる場合、エアカーテンに巻き込まれた塵や虫を除去することが必要であり、吸込口にフィルタを取付けることによりエアカーテンに巻き込まれた塵や虫をフィルタに付着させて除去することができる。吸込口にフィルタを取付けたオープンショーケースの一例としては、例えば、下記特許文献１に記載されたものが知られている。
【先行技術文献】
【特許文献】
【０００６】
【特許文献１】特開２０１５−１７３６６９号公報
【発明の概要】
【発明が解決しようとする課題】
【０００７】
しかしながら、特許文献１に記載されたオープンショーケースは、吸込口に吸込口カバーとフィルタとを着脱可能に取付け、吸込口カバーとフィルタとをそれぞれ個別に着脱可能とするとともに、吸込口カバーとフィルタとを一体的に着脱可能としたものである。このため、エアカーテンに巻き込まれた塵や虫がフィルタに付着した場合には、フィルタを単独で、又は、吸込口カバーと一体に取外した後に付着した塵や虫を除去しており、フィルタに付着した塵や虫を除去する作業に手間がかかっている。
【０００８】
本発明は、このような課題を解決するためになされたものであり、その目的は、吸込口に取付けたフィルタに塵や虫が付着した場合、その塵や虫の除去を手間をかけず容易に行うことができるオープンショーケースを提供することである。
【課題を解決するための手段】
【０００９】
本発明に係るオープンショーケースは、断面形状がコの字型に形成され、内部に商品陳列室を有し、前面に開口を有するショーケース本体と、前記ショーケース本体に設けられ、内部に空気が流れるダクトと、前記ダクトの上部に設けられ、前記ダクト内を流れた空気が吹出す吹出口と、前記ダクトの下部に設けられ、前記吹出口から吹出した空気が吸込まれる吸込口と、前記吸込口に取付けられたフィルタと、前記商品陳列室内の下部に設けられ、前後方向にスライド可能な商品陳列体と、前記商品陳列体に設けられ、この商品陳列体のスライド動作に伴って前記フィルタの上面に摺接するブラシと、を有する。
【００１０】
また、上述のオープンショーケースにおいて、前記フィルタの手前側に隣接する位置にフレームが設けられ、このフレームには上面側から前面側に向けて下向きに湾曲するＲ面形状部が設けられていることが好ましい。
【００１１】
また、上述のオープンショーケースにおいて、前記商品陳列体に、この商品陳列体を後方位置にスライドさせた場合に前記吸込口の上方に位置する通風用開口が設けられ、前記通風用開口に複数の通風用孔を有するプレートが着脱可能に取付けられ、前記プレートの下面に前記ブラシが取付けられていることが望ましい。
【発明の効果】
【００１２】
ダクトの空気吹出口から吹き出してエアカーテンを形成した空気がダクトの吸込口から吸込まれる場合に、エアカーテンに巻き込まれた塵や虫はフィルタに付着し、塵や虫がダクト内に入り込んで循環することが防止される。商品陳列体上に商品を載置する場合には、商品陳列体を前方位置にスライドさせ、その位置で商品陳列体上に商品を載置し、商品の載置が終了した後に商品陳列体を後方位置にスライドさせる。このようにして商品陳列体を前後方向にスライドさせる場合、そのスライド時にブラシがフィルタの上面に摺接し、フィルタに付着している塵や虫が除去される。このため、フィルタに付着した塵や虫の除去を手間をかけず容易に行える。
【００１３】
また、商品陳列体を前方位置にスライドさせた際にフィルタから除去された塵や虫を、フレームのＲ面形状部に沿って床に落とすことができる。
【００１４】
また、ブラシが汚れた場合には、通風用開口からプレートを取外すことによりブラシを清掃することができる。
【図面の簡単な説明】
【００１５】
【図１】商品陳列体を商品陳列位置である後方側位置にスライドさせた状態のオープンショーケースを示す断面側面図である。
【図２】商品陳列体を商品を載置する位置である手前側位置にスライドさせた状態のオープンショーケースを示す断面側面図である。
【図３】フィルタとブラシとの部分を拡大して示す断面側面図である。
【発明を実施するための形態】
【００１６】
本発明の一実施形態について、図面に基づいて説明する。図１はオープンショーケース１を示す断面側面図である。このオープンショーケース１は、断面形状コの字型のショーケース本体２を有し、ショーケース本体２の内部には商品陳列室３が設けられ、ショーケース本体２の前面には開口４が設けられている。
【００１７】
ショーケース本体２には、その内周部に沿ってダクト５が設けられ、このダクト５はショーケース本体２の形状に倣った形状である断面形状コの字型に形成されている。ダクト５の内部には、ダクト５内の空気を冷やす冷却器６と、冷却器６で冷やされた空気（冷気）を送風するファン７とが設けられている。ダクト５の上部にはダクト５内を送風された冷気が吹出す吹出口８が設けられ、吹出口８から吹出した冷気により開口４を覆う冷気のエアカーテンが形成されるようになっている。ダクト５の下部には、エアカーテンを形成した冷気が吸込まれる吸込口９が設けられている。
【００１８】
商品陳列室３内には、上下方向に沿って配列された複数段の商品陳列棚１０と、これらの商品陳列棚１０の下方に位置して前後方向にスライド可能な商品陳列体であるスライドデッキ１１とが設けられている。これらの商品陳列棚１０とスライドデッキ１１とは、販売する商品が載置される部分であり、スライドデッキ１１上へ商品を載置する場合には、スライドデッキ１１を図２に示すように前方位置へスライドさせて商品陳列室３内から引出し、その引出位置でスライドデッキ１１上に商品を載置する。スライドデッキ１１上への商品の載置が終了した後に、スライドデッキ１１を図１に示した商品陳列室３内の後方位置へスライドさせる。
【００１９】
吸込口９には、この吸込口９からダクト５内に塵や虫が入り込むことを防止するためのフィルタ１２が取付けられている。
【００２０】
ショーケース本体２におけるフィルタ１２の手前側に隣接する位置には、フレーム１３が設けられている。このフレーム１３には、上面側から前面側に向けて下向きに湾曲するＲ面形状部１４が設けられている。
【００２１】
スライドデッキ１１の前方側端部には、このスライドデッキ１１を図１に示した後方位置へスライドさせた場合に、吸込口９の上方に位置する通風用開口１５が設けられている。通風用開口１５には、複数の通風用孔１６を有するプレート１７が着脱可能に取付けられ、エアカーテンを形成した冷気は通風用孔１６を通って吸込口９から吸込まれるようになっている。
【００２２】
プレート１７の下面には、ブラシ１８が取付けられている。このブラシ１８は、スライドデッキ１１上へ商品を載置するためにスライドデッキ１１を前後方向にスライドさせた際に、フィルタ１２の上面に摺接する位置に取付けられている。
【００２３】
このような構成において、冷却器６とファン７とを駆動することにより、冷却器６で冷やされた冷気がダクト５内を流れ、ダクト５内を流れた冷気は吹出口８から吹き出し、図１において矢印Ａで示すような開口４を覆う冷気のエアカーテンを形成し、商品陳列棚１０やスライドデッキ１１上に載置されている商品が冷却される。
【００２４】
エアカーテンを形成した冷気は、プレート１７の通風用孔１６と吸込口９とを通ってダクト５内に吸込まれ、ダクト５内において再び冷却器６により冷却される。
【００２５】
開口４を覆う冷気のエアカーテンには、塵や虫が巻き込まれる場合があり、エアカーテンに巻き込まれた塵や虫は、冷気が吸込口９から吸込まれる場合にフィルタ１２に付着して除去され、塵や虫がダクト５内に入り込むことが阻止される。
【００２６】
スライドデッキ１１上に商品を載置する場合には、図１に示すように後方位置に位置しているスライドデッキ１１を図２に示すように前方位置にスライドさせ、商品陳列室３外に引き出す。そして、その引出位置でスライドデッキ１１上に商品を載置し、商品の載置が終了したスライドデッキ１１を図１に示す後方位置へスライドさせる。
【００２７】
このようにして、スライドデッキ１１上に商品を載置するためにスライドデッキ１１を前後方向にスライドさせることにより、そのスライド時にブラシ１８がフィルタ１２の上面に摺接し、フィルタ１２に付着している塵や虫が除去される。従って、ユーザはフィルタ１２に付着した塵や虫の除去については特に意識する必要がなく、フィルタ１２に付着した塵や虫の除去を手間をかけず容易に行うことができる。
【００２８】
また、ショーケース本体２におけるフィルタ１２の手前側に隣接する位置に設けられているフレーム１３には、上面側から前面側に向けて下向きに湾曲するＲ面形状部１４が設けられている。このため、スライドデッキ１１を前方位置にスライドさせた際にフィルタ１２から除去された塵や虫は、図３において矢印Ｂで示すようにＲ面形状部１４に沿って床に落ちやすくなっている。従って、フィルタ１２から除去された塵や虫を床に落とすことができ、床に落ちた塵や虫は床面清掃時に清掃することができる。従って、フィルタ１２から除去された塵や虫の清掃を改めて行う必要がなく、除去した塵や虫の清掃を手間をかけず容易に行うことができる。
【００２９】
ブラシ１８は、スライドデッキ１１の通風用開口１５に着脱可能に取付けられたプレート１７の下面に取付けられているので、必要に応じてプレート１７を通風用開口１５から取外すことができる。従って、ブラシ１８が汚れた場合には、プレート１７を通風用開口１５から取外すことによりブラシ１８を清掃することができる。
【符号の説明】
【００３０】
１      オープンショーケース
２      ショーケース本体
３      商品陳列室
４      開口
５      ダクト
６      冷却器
７      ファン
８      吹出口
９      吸込口
１０      商品陳列棚
１１      スライドデッキ（商品陳列体）
１２      フィルタ
１３      フレーム
１４      Ｒ面形状部
１５      通風用開口
１６      通風用孔
１７      プレート
１８      ブラシ
【図１】
2018114208.tif 000003
【図２】
2018114208.tif 000004
【図３】
2018114208.tif 000005